(57)【要約】【課題】真空採血針を着脱自在に固定することができ、安価に製造でき、かつ使用後に真空採血針を安全に取り外すことができ、さらに廃棄処理コストの低減を図り得る採血ホルダーを提供する。【解決手段】合成樹脂一体成形品からなり、筒状のホルダー本体部２に一体に採血針装着部３が設けられており、真空採血針１の筒状被装着部１２ｃを弾力狭持して固定するために、被装着部３が第１，第２の狭持片４，５を有し、第１，第２の狭持片４，５の少なくとも一方の内面に係止突起４ｄ，５ｄが設けられており、かつ狭持片４，５の少なくとも一方の上端に第１の端部側操作レバー８，９が連ねられており、取り外しに際しては、操作レバー８，９を第１の端部を中心に回転するように外力を加えることにより、狭持片４，５間の距離を拡大させ、係止突起４ｄ，５ｄによる係止を解除することが可能とされ、それによって真空採血針１１を取り外すことができる採血ホルダー２。【選択図】図２
2008264230.tif 000002
【特許請求の範囲】
【請求項１】
中空針の採血用中空針部がハブの一端側から延ばされており、ハブの他端側から前記中空針の血液導入用中空針部が延ばされており、該ハブが採血ホルダーに装着される筒状被装着部と、該筒状被装着部に連ねられておりかつ前記血液導入用中空針部側に配置されたハブ先端部とを有し、前記筒状被装着部との間に、前記血液導入用中空針部の延びる方向と交叉する係止面が形成されるようにハブ先端部が筒状被装着部の径よりも大きな外形部分を有する真空採血針を着脱自在に保持する採血ホルダーであって、
一端に採血管が挿入される開口を有する筒状のホルダー本体部と、
前記ホルダー本体部の前記開口が設けられている側と反対側の端部において、前記筒状のホルダー本体部から軸方向外側に突出するようにホルダー本体部に一体に設けられた採血針装着部とを備え、
前記採血針装着部が、
前記真空採血針のハブの筒状被装着部を弾力狭持する第１，第２の狭持片を有し、第１，第２の狭持片の少なくとも一方の内面に内側に向かって突出されており、前記真空採血針のハブの係止面を係止して真空採血針の脱落を防止する係止突起が形成されており、かつ
第１，第２の端部を有し、該第１の端部において第１，第２の狭持片の少なくとも一方に連ねられている操作レバーをさらに備え、前記操作レバーを該操作レバーの第１の端部を中心に回転させることにより、前記第１，第２の狭持片間の距離が拡大されて前記係止面の前記係止突起による係止が解除されるように前記操作レバー及び係止突起が設けられており、
合成樹脂の一体成形品からなることを特徴とする、採血ホルダー。
【請求項２】
前記第１，第２の狭持片の内、前記操作レバーの連ねられている狭持片が、操作レバーを第１の端部を中心に回転させた際に弾性的に変形し得るように構成されている、請求項１に記載の採血ホルダー。
【請求項３】
前記第１，第２の狭持片が、それぞれ複数設けられている、請求項１または２に記載の採血ホルダー。
【請求項４】
前記第１，第２の狭持片の内面が円筒曲面状の形状を有し、第１，第２の狭持片の内面が、１つの円筒の外周面の一部をそれぞれ構成している、請求項１〜３のいずれか１項に記載の採血ホルダー。
【請求項５】
前記第１，第２の狭持片において、前記係止突起が設けられている狭持片に、それぞれ操作レバーが設けられている、請求項１〜４のいずれか１項に記載の採血ホルダー。
【発明の詳細な説明】
【技術分野】
【０００１】
本発明は、真空採血針を用いた採血に用いられる採血ホルダーに関し、より詳細には、真空採血針が着脱自在に取り付けられる構造を有する採血ホルダーに関する。
【背景技術】
【０００２】
従来、臨床検査等に際しては、被験者の血液を採取するのに、真空採血針が広く用いられている。真空採血針では、被験者の血管に挿入される採血用中空針部がハブの一方側から延ばされており、真空採血管に挿入される中空針部がハブの他方側から延ばされている。
【０００３】
ところで、上記真空採血針を用いた採血を容易とするために、採血ホルダーが用いられている。このような採血ホルダーは、例えば、下記の特許文献１〜５等に開示されている。
【０００４】
従来の採血ホルダーは、一端に真空採血管を挿入するための開口が設けられており、他端に採血針を装着する採血針装着部が設けられた筒状のホルダー本体を有する。そして、このホルダー本体は、通常、合成樹脂の成形品により形成されている。もっとも、上記採血針装着部については、ホルダー本体とは別の部品をホルダー本体に取り付けることにより形成されている。例えば、金属や合成樹脂からなり、バネ性を有し、真空採血針を該バネ性により狭持する真空採血針固定部材が取り付けられたりしている（例えば、下記の特許文献  ２，５，６）。
【特許文献１】特開平５−３０５０６８号公報
【特許文献２】特開平８−１２６６３０号公報
【特許文献３】特開平９−２０１３４９号公報
【特許文献４】特許第２７２３１０５
【特許文献５】特開２０００−６０８２７号公報
【特許文献６】特開２０００−１７５８８８号公報
【発明の開示】
【発明が解決しようとする課題】
【０００５】
前述したように、従来の採血ホルダーは、合成樹脂成形品からなる筒状のホルダー本体に、採血針を着脱自在に取り付けるための採血針装着部を構成するために、採血針固定部材等を別途用意し、組み立てる必要があった。このような採血針固定部材が金属等からなる場合には、合成樹脂以外の材料を必要とするため、廃棄物の分別廃棄ができなくなり、廃棄費用が高くなる。
【０００６】
また、複数の部材、すなわち採血ホルダーと、上記採血針固定部材を用意し組み立てねばならないため、製造工程が煩雑であり、コストが高くつかざるを得なかった。上記採血針固定部材等をホルダー本体と同様に合成樹脂により形成した場合には、金属等の他の材料で構成した場合に比べて廃棄費用を低減することは可能である。しかしながら、各部材を用意するために複数の金型を必要とし、それぞれ別途成形し、組み立てる必要があるため、やはりコストは高くつかざるを得ない。
【０００７】
他方、採血現場においては、感染リスクをなくすために、採血ホルダーも採血針と同様に使い捨て可能であることが強く求められる。従って、使い捨て可能とするために、より安価な採血ホルダーが求められている。
【０００８】
また、ホルダーを使い捨て可能に構成した場合、ホルダーに装着された採血針ごと廃棄することも考えられる。一般に医療廃棄物は体積で処理費用が計算される。そこで、採血針のみ医療廃棄物として廃棄する場合は体積は小さいので廃棄費用も少額でよいが、ホルダーに取り付けられた状態では体積が大きくなるので廃棄費用が高くならざるを得ない。よって、採血後には、真空採血針を容易に取り外し、真空採血針とは別途廃棄し得る採血ホルダーが望ましい。
【０００９】
本発明の目的は、上述した従来技術の現状に鑑み、比較的簡単な構造を有し、安価に提供でき、従って使い捨て可能とすることができ、しかも真空採血針を容易に取り外して真空採血針とは別途廃棄可能である採血ホルダーを提供することにある。
【課題を解決するための手段】
【００１０】
本発明によれば、中空針の採血用中空針部がハブの一端側から延ばされており、ハブの他端側から前記中空針の血液導入用中空針部が延ばされており、該ハブが採血ホルダーに装着される筒状被装着部と、該筒状被装着部に連ねられておりかつ前記血液導入用中空針部側に配置されたハブ先端部とを有し、前記筒状被装着部との間に、前記血液導入用中空針部の延びる方向と交叉する係止面が形成されるようにハブ先端部が筒状被装着部の径よりも大きな外形部分を有する真空採血針を着脱自在に保持する採血ホルダーであって、一端に採血管が挿入される開口を有する筒状のホルダー本体部と、前記ホルダー本体部の前記開口が設けられている側と反対側の端部において、前記筒状のホルダー本体部から軸方向外側に突出するようにホルダー本体部に一体に設けられた採血針装着部とを備え、前記採血針装着部が、前記真空採血針のハブの筒状被装着部を弾力狭持する第１，第２の狭持片を有し、第１，第２の狭持片の少なくとも一方の内面に内側に向かって突出されており、前記真空採血針のハブの係止面を係止して真空採血針の脱落を防止する係止突起が形成されており、かつ第１，第２の端部を有し、該第１の端部において第１，第２の狭持片の少なくとも一方に連ねられている操作レバーをさらに備え、前記操作レバーを該操作レバーの第１の端部を中心に回転させることにより、前記第１，第２の狭持片間の距離が拡大されて前記係止面の前記係止突起による係止が解除されるように前記操作レバー及び係止突起が設けられており、合成樹脂の一体成形品からなることを特徴とする、採血ホルダーが提供される。
【００１１】
本発明に係る採血ホルダーでは、好ましくは、前記第１，第２の狭持片の内、前記操作レバーの連ねられている狭持片が、操作レバーを第１の端部を中心に回転させた際に弾性的に変形し得るように構成されている。従って、操作レバーを第１の端部を中心に回転させるだけで、操作レバーが連ねられている狭持片が弾性的に変形するので、上記第１，第２の狭持片間の距離を容易に拡大して前記ハブの係止面の前記係止突起により係止を容易に解除することができ、それによって採血ホルダーから真空採血針を速やかに取り外すことができる。
【００１２】
本発明に係る採血ホルダーでは、上記第１，第２の狭持片は、それぞれ複数設けられていてもよく、その場合には、複数の第１，第２の狭持片により、真空採血針をより確実に狭持し、固定することができる。
【００１３】
また、本発明に係る採血ホルダーでは、好ましくは、前記第１，第２の狭持片の内面が円筒曲面状の形状を有し、第１，第２の狭持片の内面が、１つの円筒の外周面の一部をそれぞれ構成している。この場合には、真空採血針の筒状被装着部が通常円筒状の形状を有するため、第１，第２の狭持片の内面の円筒曲面状の形状を利用して、真空採血針をより安定に採血ホルダーに固定することができる。
【００１４】
本発明に係る採血ホルダーでは、好ましくは、前記第１，第２の狭持片において、前記係止突起が設けられている狭持片に、それぞれ操作レバーが設けられている。係止突起が設けられている狭持片にそれぞれ操作レバーが設けられているので、操作レバーを第１の端部を中心として回転させることにより、係止突起による係止面の解除をより確実に解除することができる。
【発明の効果】
【００１５】
本発明に係る採血ホルダーは、上記筒状のホルダー本体部と、該ホルダー本体部に一体に設けられた真空採血針装着部とを備え、合成樹脂の一体成形品からなるため、単一の材料及び単一の金型を用いて安価に製造することが可能である。従って、本発明の採血ホルダーは、使い捨ての採血ホルダーとすることができる。そして、上記真空採血針装着部では、採血針のハブの筒状被装着部を弾力狭持する第１，第２の狭持片により真空採血針が狭持されて固定される。その場合、真空採血針のハブの係止面が、真空採血針装着部に設けられた係止突起により係止され、固定されている真空採血針の脱落が生じ難い。他方、上記採血針装着部の操作レバーの第１の端部を中心に該操作レバーを回転させることにより、第１，第２の狭持片間の距離が拡大され、上記係止面の係止突起による係止が解除される。従って、使用後に真空採血針を速やかに採血ホルダーから取り外すことができる。従って、採血ホルダーを真空採血針とは別に廃棄することができ、廃棄処理のコストが高くつくこともない。
【発明を実施するための最良の形態】
【００１６】
以下、図面を参照しつつ、本発明の具体的な実施形態を説明することにより、本発明を明らかにする。
【００１７】
図１（ａ）は、本発明の一実施形態に係る採血ホルダーの平面図であり、（ｂ）は、図１（ａ）中のＢ−Ｂ線に沿う断面図であり、図１（ｃ）は図１（ａ）中のＣ−Ｃ線に沿う断面図である。
【００１８】
図１（ａ）〜（ｃ）から明らかなように、採血ホルダー１は、筒状のホルダー本体部２と、ホルダー本体部２に一体に設けられた採血針装着部３とを有する。採血ホルダー１は、合成樹脂の一体成形品からなる。すなわち、合成樹脂を射出成形等の適宜の成型技術を用いて一体成形することにより、採血ホルダー１が得られる。従って、採血ホルダー１を得るにあたっては、１種類の金型を用意するだけでよく、また煩雑な組立作業を必要としない。よって、採血ホルダー１は、安価に製造され得る。
【００１９】
上記合成樹脂としては、特に限定されず、ポリプロピレン、ポリエチレン、ＰＯＭ、ＡＢＳ、ＰＶＣなどの適宜合成樹脂材料を用いることができる。
【００２０】
筒状のホルダー本体部２は、一方端に開口２ａを有する。開口２ａは、後述するように、真空採血に際し、真空採血管が挿入される部分に相当する。ホルダー本体部２の内径は、挿入される真空採血管の外径よりも大きくされている。本実施形態では、上記ホルダー本体部２は略円筒状の形状を有する。また、開口２ａの周縁には、フランジ部２ｂが設けられている。フランジ部２ｂは必須ではないが、フランジ部２ｂが設けられているので、採血に際して手指により採血ホルダーを容易に保持することができる。また、フランジ部２ｂが設けられているため、未使用の採血ホルダー２や使用後の採血ホルダー２をテーブル上などに容易に立設することができる。また、図１（ａ）に示すように小判型にすることで横倒しにテーブルにおいても転がることがない。
【００２１】
ホルダー本体部２の開口２ａと反対側の端部では、円筒状側面部から径方向内側に延びる天板部２ｃが連ねられており、天板部２ｃの中央に、ホルダー本体部２よりも外径の小さな採血針装着部３が一体に設けられている。
【００２２】
採血針装着部３は、本実施形態では、第１，第２の狭持片４，５を有する。第１，第２の狭持片４，５は、ホルダー本体部２の軸方向外側に突出するように延ばされている。すなわち、ホルダー本体部２の中心軸の延びる方向と平行に延ばされている。狭持片４，５の内面は、ホルダー本体部２の軸方向に延びる円筒曲面の一部に相当する形状を有する。
【００２３】
また、狭持片４，５の側方には、第３，第４の狭持片６，７が設けられている。第３，第４の狭持片６，７の内面は、第１，第２の狭持片４，５と同様に、円筒曲面の一部に相当する形状とされている。上記第１，第２の狭持片４，５が向かい合うように配置されている。
【００２４】
上記第１，第２の狭持片４，５は、内面が円筒曲面状の形状を有し、上記ホルダー本体部２の軸方向と平行に延ばされた狭持片本体部４ａ，５ａを有する。この狭持片本体部４ａ，５ａの他端４ｂ，５ｂは、天板部２ｃよりも下方に位置している。４ｂ、５ｂを天板部２ｃより下方に位置させているのは採血針をよりホルダー内部に突出させるためであり、必ずしも必須ではないが、採血針を突出させた方が好ましい。そして、下端４ｂ，５ｂに連ねられて、天板部２ｃに向かって延ばされた傾斜面部４ｃ，５ｃが設けられている。従って、傾斜面部４ｃ，５ｃが設けられているため、上記狭持片４，５は、上記下端４ｂ，５ｂを中心に狭持片本体部４ａ，５ａが狭持片４，５間の距離を拡げるように弾性変形し得る。
【００２５】
他方、狭持片本体部４ａ，５ａの内面には、中間高さ位置において、係止突起４ｄ，５ｄが設けられている。係止突起４ｄ，５ｄは、本実施形態では、図１（ａ）に示すように、狭持片本体部４ａ，５ａの内面の全幅に至るように設けられている。もっとも、係止突起４ｄ，５ｄは、狭持片の本体部４ａ，５ａの幅方向の一部にのみ設けられてもよい。また、係止突起４ｄ，５ｄは、第１，第２の狭持片４，５において、複数形成されていてもよい。
【００２６】
また、上記第１，第２の狭持片４，５の上端に連なるように操作レバー８，９が設けられている。操作レバー８，９は、第１の端部と、第１の端部とは反対側の第２の端部とを有する矩形の平面形状を有している。この第１の端部側において、操作レバー８，９は、第１，第２の狭持片４，５に連ねられている。
【００２７】
操作レバー８，９は、本実施形態では、ホルダー本体部２の軸方向と直交する方向に延ばされている。すなわち、ホルダー本体部２の径方向に延びるように形成されている。もっとも、操作レバー８，９は第１の端部側から斜め上方に延ばされていてもよく、必ずしも、ホルダー本体部２の軸方向に直交するように延ばされている必要はない。
【００２８】
上記操作レバー８，９を上記第１の端部を中心として回転するように操作レバー８，９の第２の端部側に下向きの力を加えると、上記狭持片４，５が弾性変形し、図１（ｂ）に示す状態よりも、第１，第２のの狭持片４，５間の距離、すなわち係止突起４ｄ，５ｄ間の距離が拡大される。
【００２９】
本実施形態の採血ホルダーでは、上記係止突起４ｄ，５ｄ間の距離は、図１（ｂ）に示す状態、すなわち操作レバー８，９から外力が加えられていない状態では、後述する真空採血針のハブの係止面を係止して、真空採血針の脱落を防止し得る大きさとされている。後述の操作方法から明らかなように、操作レバー８，９に外力を加えて、狭持片４，５間の距離を拡大するように狭持片４，５を変形させた場合には、係止突起４ｄ，５ｄが、ハブの係止面の係止を解除し得る大きさとなるように操作レバー８，９及び係止突起４ｄ，５ｄが形成されている。
【００３０】
次に、上記実施形態の採血ホルダー１の使用方法を、図２（ａ）〜（ｃ）を参照して説明する。使用に際しては、図２（ａ）に示すように、採血ホルダー２の採血針装着部３側から真空採血針１１を挿入する。真空採血針１１は、ハブ１２と、ハブ１２に挿通固定された中空針１３とを有する。中空針１３は、採血用中空針部１３ａと血液導入用中空針部１３ｂとを有する。ハブ１２の一端側から中空針１３の採血用中空針部１３ａが延ばされており、ハブの他端側から破線で示す血液導入用中空針部１３ｂが延ばされている。ここでは、血液導入用中空針部１３ｂは、ゴム鞘１５により被覆されている。なお、ゴム鞘１５を有しない真空採血針にも本発明の採血ホルダーを適用することができることを指摘しておく。
【００３１】
採血用中空針部１３ａの針先は血管に挿入され、血液を導く。血液導入用中空針部１３ｂは、採血ホルダー１のホルダー本体部２に開口２ａから挿入される真空採血管（図示せず）の栓体を貫通し、血液を真空採血管内に導く。
【００３２】
上記ハブ１２は、中空針１３を支持している中空針支持部１２ａと、中空針支持部１２ａの血液導入用中空針部１３ｂ側に設けられており、かつ中空針支持部１２ａよりも径の大きな鍔部１２ｂとを有する。鍔部１２ｂの中空針支持部１２ａとは反対側には、鍔部１２ｂよりも径が小さく、前述した採血針装着部３に固定される筒状被装着部１２ｃが設けられている。筒状被装着部１２ｃの径は、前述した第１，第２の狭持片４，５により弾力狭持される大きさとされている。
【００３３】
他方、筒状被装着部１２ｃの先端側には、係止面１２ｄを介してハブ先端部１２ｅが連ねられている。ハブ先端部１２ｅは、筒状被装着部１２ｃよりも径の大きな部分を有し、従って、ハブ先端部１２ｅと筒状被装着部１２ｃとの間に係止面１２ｄが形成される。係止面１２ｄは、本実施形態では、上記ホルダー本体部２の軸方向と直交する方向とされているが、該軸方向に交叉する方向であれば特に限定されない。
【００３４】
図２（ｂ）に示すように、真空採血針１１が採血ホルダー１にさらに挿入されていくと、上記ハブ１２のハブ先端部１２ｅにより、第１，第２の狭持片４，５が互いの距離が遠ざかるように拡げられる。係止突起４，５がハブ先端部１２ｅが通過した後に、図２（ｃ）に示すように、狭持片４，５によりハブ１２の筒状被装着部１２ｃが弾力狭持され、それによって真空採血針１１が採血ホルダー２に固定される。
【００３５】
固定状態においては、上記係止面１２ｄが係止突起４ｄ，５ｄにより係止されるので、真空採血針１１が図２（ｃ）において採血ホルダー１の上方に脱落することがない。従って、真空採血に際し、真空採血針１１を採血ホルダー２に確実に固定することができる。
【００３６】
図２（ｃ）に示す状態から、採血ホルダー２の開口２ａより採血管を挿入し、真空採血針１１の採血針１２を血管に挿入することにより血液を真空採血管内に採取することかできる。真空採血後には、真空採血管を採血ホルダー２から抜き取る。
【００３７】
真空採血管を抜き取った後には、図２（ｃ）に示す状態と同様の状態となる。もっとも、ゴム鞘１５は、その先端が血液導入用中空針部１３ｂにより破られている。しかしながら、他の部分については、図２（ｃ）に示す使用前の状態とほぼ同様である。
【００３８】
真空採血針１１を取り外すに際しては、上記操作レバー８，９を第１の端部を中心として回転するように、すなわち操作レバー８，９の第２の端部が真空採血針１１の筒状被装着部１２ｃから遠ざかる方向に力を加える。その結果、図２（ｂ）に示す状態からさらに操作レバー８，９の第２の端部側部分を下方に移動させることにより、第１，第２の狭持片４，５間の距離が拡大し、係止突起４ｄ，５ｄによる係止面１２ｄの係止が解除される。
【００３９】
従って、採血針１１を採血ホルダー２から容易に取り外すことができる。よって、真空採血針１１を取り外し、合成樹脂のみからなる採血ホルダー１を容易に廃棄することができる。従って、廃棄処理コストの低減を図ることができる。
【００４０】
なお、上記実施形態では、１組の第１，第２の狭持片４，５が向かい合うように形成されていたが、第１，第２の狭持片はそれぞれ複数設けられていてもよい。すなわち、前述した第３，第４の狭持片６，７に代えて、第１，第２の狭持片４，５と同様の構造を、第３，第４の狭持片６，７が設けられている部分に配置してもよい。さらに、３以上の第１，第２の狭持片を適宜配置してもよい。
【００４１】
また、図３（ａ），（ｂ）に示す変形例のように、第１の狭持片４にのみ操作レバー８を連ね、第２の狭持片５には操作レバーを連ねずともよい。このように、第１，第２の狭持片の内少なくとも一方にのみ操作レバーを連ねていてもよい。
【００４２】
さらに、上記係止突起４，５についても、第１，第２の狭持片４，５の少なくとも一方にのみ設けられていてもよい。
【００４３】
また、第１，第２の狭持片４，５の内、上記操作レバー８または操作レバー９が連ねられている狭持片が操作レバー８または操作レバー９を第１の端部を中心に回転させた際に上述したように弾性的に変形し得るように構成されていることが望ましい。
【００４４】
また、上記係止突起４ｄ，５ｄが設けられている狭持片４，５にそれぞれ操作レバー８，９が設けられていたが、第１，第２の狭持片の内一方において係止突起が設けられていない場合、該係止突起が設けられていない狭持片に操作レバーが連ねられていてもよい。
【００４５】
また、上記第３，第４の狭持片６，７は、上記実施形態では、弾性変形をしないように形成されていたため、第３，第４の狭持片６，７により、真空採血針１１をより安定な無機に保持し、固定することが可能とされている。従って、上記弾性変形しない、互いに向かい合う第３，第４の狭持片６，７を設けることも望ましい。
【００４６】
なお、本発明が適用される真空採血針では、採血用中空針部と血液導入側中空針部とが一体ではなく、別体で構成されていてもよい。
【図面の簡単な説明】
【００４７】
【図１】（ａ）は、本発明の第１の実施形態に係る採血ホルダーの平面図であり、（ｂ）は（ａ）中のＢ−Ｂ線に沿う断面図であり、（ｃ）は、（ａ）中のＣ−Ｃ線に沿う断面図である。
【図２】（ａ）〜（ｃ）は、第１の実施形態の採血ホルダーに真空採血針を挿入し固定する工程を説明するための各縦断面図である。
【図３】（ａ），（ｂ）は、第１の実施形態の採血ホルダーの変形例を説明するための平面図及び縦断面図である。
【符号の説明】
【００４８】
１…採血ホルダー
２…ホルダー本体部
２ａ…開口
２ｂ…フランジ部
２ｃ…天板部
３…採血針装着部
４，５…第１，第２の狭持片
４ａ，４ｂ…狭持片本体部
４ｂ，５ｂ…下端
４ｃ，５ｃ…傾斜面部
４ｄ，５ｄ…係止突起
６，７…第３，第４の狭持片
１１…真空採血針
１２…ハブ
１２ａ…中空針支持部
１２ｂ…鍔部
１２ｃ…筒状被装着部
１２ｄ…係止面
１２ｅ…ハブ先端部
１３…中空針
１３ａ…採血用中空針部
１３ｂ…血液導入用中空針部
１５…ゴム鞘
【図１】
2008264230.tif 000003
【図２】
2008264230.tif 000004
【図３】
2008264230.tif 000005